(57)【要約】【課題】  子供のおもちゃとしても利用可能な、オールインワンのコンパクトなスライド投影システムを提供する。【解決手段】  発光ダイオードを用いた光源ユニットと、この光源からの放出光が横切る位置にフィルム配置部が設けられたフィルム配置ユニットと、このフィルムを透過した光を光投影する投影レンズユニットと、このレンズからの投影光を結像するスクリーンと、前記光源、フィルム配置ユニット、投影レンズユニット、及びスクリーンを収納する本体ケースとを有すると共に、前記光源ユニット及び投影レンズユニットが前記フィルム配置ユニットから着脱可能に配置されることを特徴している。【選択図】    図１
2005284226.tif 000002
【特許請求の範囲】
【請求項１】
発光ダイオードを用いた光源ユニットと、この光源からの放出光が横切る位置にフィルム配置部が設けられたフィルム配置ユニットと、このフィルムを透過した光を光投影する投影レンズユニットと、このレンズからの投影光を結像するスクリーンと、前記光源、フィルム配置ユニット、投影レンズユニット、及びスクリーンを収納する本体ケースとを有すると共に、前記光源ユニットは前記フィルム配置ユニットに着脱可能に配置されることを特徴とする画像表示装置。
【請求項２】
前記フィルム配置ユニットには、フィルムを配置したとき、自動的に前記光源を点灯する光源点灯スイッチを有することを特徴とする請求項１項記載の画像表示装置。
【請求項３】
前記投影レンズユニットは、前記フィルム配置ユニットに着脱可能に配置されることを特徴とする請求項１項記載の画像表示装置。
【請求項４】
前記光源ユニットは、内部に電池収納部を有すると共に、外部には磁石配置部を有することを特徴とする請求項１項記載の画像表示装置。
【請求項５】
前記光源ユニット及び、又は前記投影ユニットは磁石を有し、この磁石により、前記フィルム配置ユニットに着脱可能に配置・固定されることを特徴とする請求項１項記載の画像表示装置。
【請求項６】
前記光源ユニットと前記フィルム配置部との間に、シートレンズを着脱可能に配置することを特徴とする請求項１項記載の画像表示装置。
【請求項７】
前記本体ケースには、オプション機器としてライトテーブルを着脱可能に配置すると共に、前記レンズユニットは、このライトテーブル上に配置したフィルムを拡大鑑賞するルーペとしても用いられることを特徴とする請求項３項記載の画像表示装置。
【発明の詳細な説明】
【技術分野】
【０００１】  本発明は、簡易スライド投影プロジェクタに関するものである。
【背景技術】
【０００２】  近年、デジタルカメラやパーソナルコンピュータが普及し、従来のフィルムを用いたカメラが少なくなってきている。【０００３】映画もデジタル化が進み、画像データは、デジタルで保存することが多くなってきた。
【特許文献１】特開５−３４８３０号。
【発明の開示】
【発明が解決しようとする課題】
【０００４】近年のデジタル化した画像データしか知らない子供は、フィルムに記録された画像の美しさや、そのフィルムを用いた投影画像の美しさを理解するのは困難である。
そこで本発明の目的は、フィルムによる画像を手軽に利用することを可能とし、子供がアナログのフィルム画像に興味を持てるようなスライド投影システムを提供することにある。
上記の特許文献１は、ピストル型の投影機と、エンドレスな投影用フィルムからおもちゃである。しかしながら、エンドレスフィルムを収納した専用のカセットを用いる必要があり、あまり普及しなかった。
また、従来のスライドプロジェクタは、箱から出して、スクリーンを配置して、電源を入れて、スライドホルダーにスライドを入れて、そのスライドホルダーを光照射部にスライド移動させて初めて投影画像を鑑賞できる。
このため、面倒であり、スライドを鑑賞しようという意欲が損なわれてしまう。
本発明では、個人的に撮影したフィルムをも投影できると共に、全ての構成物を本体ケースに収納したコンパクトなスライド投影システムであり、かつノートパソコンのようにケースを開いてすぐに使用できるスライドプロジェクタを提供することを目的としている。
また、構成部品をユニット化し、光源ユニットは、取外せば照明光源としても利用可能な構成としている。
【課題を解決するための手段】
【０００５】単体で用いた場合、一般照明装置として用いることができる発光ダイオードを用いた光源ユニットと、単体で用いた場合、ルーペとして用いることができる投影レンズユニット、及びスクリーンを収納する本体ケースとをコンパクトに組合わせることにより、スライド投影プロジェクタを構成したものである。
【発明の効果】
【０００６】本発明では、フィルムを用いた投影画像を素早く、簡易に得られるものであり、さらに光源に発光ダイオード（ＬＥＤ）を用いることにより、子供にやさしいスライド投影プロジェクタを提供することが可能となる。
【発明を実施するための最良の形態】
【０００７】以下、本発明を実施するための最良の形態について、図に沿って詳細に説明する。
【実施例】
【０００８】図１は本発明の実施形態の全体構成を示す斜視図である。この図において、１はスライド投影ユニットであり、光源ユニット２、フィルム配置ユニット３、及び投影レンズユニット４、及びこのレンズユニット４を保護する図示しない保護カバーからなる。
このスライド投影ユニット１は、本体ケース６に脱着可能に収納される。また、本体ケース６には分割された蓋１０ａ、１０ｂが設けられており、蓋１０ａは開いた状態で垂直に固定される。この蓋１０ａの内側には白色の投影用スクリーン７が設けられている。
尚、１１は後述する小型ライトテーブルや、音声出力ユニット等のオプション機器を配置するオプション機器搭載部である。【０００９】続いて、図２、図３にスライド投影ユニットの詳細を示す。
光源ユニット２は、ＬＥＤ（半導体発光素子）を用いた光源であり、複数の白色ＬＥＤからなり、スライド投影ユニット１に着脱可能に保持される。この光源ユニット２は、赤色、青色、及び緑色の３種類のＬＥＤで構成し、３色を同時に発光することで白色光を生成してもよい。【００１０】フィルム配置ユニット３はスライド９を挿入しやすくするために、入口が広げらた開口であるスライド挿入部３ａを有している。このフィルム配置ユニット３には、光源のスイッチ（マイクロスイッチ）３ｃがスライドが挿入される部位の直下に設けられており、スライド９を挿入するとスイッチ３ｃが押され光源２は点灯し、スライド９を取外す（持ち上げる）と、光源２は消灯する。
尚、フィルム配置ユニット３にはメインスイッチ３ｂが設けられているが、このメインスイッチ３ｂは、スライド挿入開部３ａが識別できる程度に光源のＬＥＤの１つを部分的に点灯するものである。
尚、光源のスイッチ３ｃは、スライドが挿入される部位の直下でなく、側面に設けてもよい。【００１１】投影レンズユニット４は、複数のレンズから構成され、挿入されたスライドが焦点付近に位置するようにレンズの位置を移動することにより、結像距離、及びピントが調節される。
通常は、スライド投影ユニットを本体ケースに配置した状態で、ケースの蓋の裏に設けられたスクリーン７に結像するように設定される。スライド投影ユニットを本体ケースから取り外した場合は、レンズを調節することにより、レンズから３ｍ以内の範囲内に結像が得られる。
尚、より遠方に投影するためには、レンズユニットをよりスライド付近に近づけるように移動させる。【００１２】フィルム配置ユニット３はケース状の構造体からなり、この構造体に光源から投影レンズに至る光路、スライド挿入部、このスライド保持部から離間して、投影レンズが設けられ、この構造体は、キャラクターの外形を有する保護部材で覆われる。【００１３】また、保護部材のキャラクタの体型的特長を成す一部、例えば本実施例では鼻を、メインスイッチとしての機能させ、この鼻を押すと、スライド投影ユニットに設けられたメインスイッチのオンとオフが切り替わるようにしてもよい。尚、投影口は透明な樹脂材が用いられている。
この実施例のスライド投影ユニットは、本体から取外した場合、例えば、寝ながら映像を鑑賞するために、天井に投影して利用することも可能である。尚、天井に投影する場合には、投影レンズの近傍に傾斜した鏡を配置して天井に投影する。【００１４】通常のスライドプロジェクタでは、光源としてハロゲンランプ等の高出力ランプを設けているが、本実施例のような大画面を必要としない場合は、そのような高出力ランプを用いる必要がなく、ＬＥＤ光源を用いている。
このＬＥＤ光源は、６個の高出力白色ＬＥＤ（通称パワーＬＥＤと呼ばれる。）が並列に接続されたものであり、メインスイッチ３ｂにより、１つだけ点灯し、スライド９を挿入した場合に全てが点灯する。
尚、出力を高めるために、６個以上のＬＥＤを設けてもよい。
更に、各ＬＥＤへの供給電流を変更する手段を設け、回転式のノブにより、光の強さを可変としてもよい。
また、点滅用スイッチを設け、スイッチのオン、オフにより、ＬＥＤを点滅させる機能を付加してもよい。
通常のプロジェクタに用いるランプは、高出力であり、かつ発光効率はさほど高くないため、冷却手段が必要となるが、ＬＥＤを用いた本光源は、ファン等の冷却手段は不要となる。
また、フィルム配置ユニット３には、電池収納部が設けられており、ここに収納されるバッテリ８の電力でＬＥＤは点灯する。
尚、ＡＣ／ＤＣアダプタを接続可能にして、家庭の商用電源でも点灯できるようにしてもよい。【００１５】また、ＬＥＤは半導体であり、寿命は極めて長いため、交換の必要はないが、より高出力な光源ユニットと交換が可能となるように、光源ユニット１は、フィルム配置ユニットに脱着可能に保持される。【００１６】次に第２の実施例を図４を用いて説明する。
この実施例では、フィルム配置ユニットのフィルム挿入部３ａが開口ではなく、本体を縦に横切るスリット形状をなしている。【００１７】また、本実施例では、フィルムは１枚単位ではなく、ロール状に構成されたフィルムカセット１３を有する。
これは、スライド用のリバーサルフィルムを現像したものを、そのまま収納できるものであり、個人的に撮影したフィルムを本実施例の表示装置で鑑賞することができる。
このフィルムカセット１３のフィルムロール部を回転するアクチュエータ１４をフィルム配置ユニットに有し、このアクチュエータ１４の動作により、フィルムロール部は、画像１枚単位で回転し、フィルム挿入部３ａに投影映像部分が供給される。【００１８】尚、本実施例では、フィルム配置ユニットに次ボタン１５ａ、及び戻るボタン１５ｂを有し、次ボタン１５ａを押すと、フィルムカセットのフィルムロールは１枚分回転し、戻るボタン１５ｂを押すと、１枚分逆に回転する。【００１９】次に、第３の実施例を図５を用いて説明する。
本実施例では、フィルム配置ユニットのフィルム挿入部にフォトインタラプタユニット２０及び、このフォトインタラプタユニット２０での検出信号を出力するコネクタを２１有し、本体にはフィルム検出ユニット２２が設けられている。このフィルム検出ユニット２２は、フィルム番号検出装置２３、及びこのフィルム番号検出装置２２に前記フォトカプラユニットとオプション機器を接続するコネクタ２４ａ、２４ｂを有している。
オプション機器としては、例えば、音声出力ユニット２５がある。【００２０】この音声出力ユニット２５は、フィルム保持体３０に設けられたインデックスマークを、先のフィルム番号検出手段で検出した場合、この検出信号に従って音声を出力するものであり、外部記憶媒体例えば、メモリーカード２６の読出し装置２７、及びフィルム検出ユニットから出力されるフィルム番号に対応する音声データをスピーカ２８に出力するマイコンで構成された音声処理部２９を有する。
尚、２４ｃはコネクタであり、本体に設けられたコネクタ２４ｂに接続される。
メモリーカード２６をデータ読出し装置２７に挿入した状態で、各フィルムを、フィルム挿入部に挿入すると、フィルム保持体に設けられたインデックスがフォトインタラプタユニット２０で検出され、この検出信号によって、フィルム番号が認識され、このフィルム番号に従ってメモリ内の音声情報が読み出され出力される。【００２１】この第３の実施例では、フィルム保持体３０の下端部に図５に示すような、切り欠き３０ａを有し、この切り欠き部３０ａがフィルムのインデックスを示している。
尚、フォトインタラプタユニット２０は、発光素子と受光素子の対がフィルム保持体を挟んで配置されるものであり、切り欠き部で、切り欠きが形成された場合は発光素子の光が受光素子に到達し、切り欠きが形成されない場合はフィルム保持体で発光素子の光が遮られることによりオン又はオフが出力される。この発光素子と受光素子の対が６つ配置され、６ビット分のフィルムが認識される。
切り欠き部の位置と切り欠き数に従って、メモリーカード２６の音声が指定され、フィルム番号に応じた音声が読み出され、音声出力される。尚、インデックスは、このような切り欠きでなく、バーコードや打ち抜きされた開口を用いてもよい。【００２２】本実施例では、外部記憶媒体として、メモリーカードを用いたが、コンパクトディスクを用いてもよい。
スライドの番号を認識するシステムでは、単なる絵本的なアプリケーションから、インタラクティブな利用へと応用範囲が広がる。
例えば、子供用の学習アプリケーションが作成できる。
このコンパクトディスクに記録された音声で「犬の絵はどれですか。」と発生し、それに対して子供が犬の絵のスライドをスライド挿入部に挿入した場合「当たりです。」と発音し、犬以外の絵のスライドを挿入した場合「はずれだよ。」と発音するような使い方が可能となる。
スライドの番号を認識するだけでなく、音声案内時からスライド挿入時までの時間を計測してもよい。
例えば、音声案内で「３つ前のスライドを入れて下さい。」と発音してから５秒経過してもスライドが挿入されなかったら「遅いよ。」と音声案内することが可能となる。【００２３】更に、別のオプション機器としては、マイクロフォンを含む録音手段と外部記憶手段に、音声データを書き込む書込み手段とから構成される録音ユニットがある。
これは、各フィルムのインデックスに対応して、音声を記録するものであり、挿入されているフィルムのインデックス番号が検出され、このインデックス番号が記録された音声データに音声順に付加される。
このメモリーカードを、先の音声出力ユニットに挿入した場合、フィルムのインデックスに対応して、記録された音声が読み出される。【００２４】尚、本音声出力装置とフィルムとの連携を自動的に行うことなく、フィルムに対応した音声データ側に、フィルムの交換を要求する案内を記録してもよい。例えば、各音声の間に、「次のスライドを入れて下さい。」との案内音声を付加しておけばよい。【００２５】更に、別のオプションとしては、ライトテーブルがある。
これは、冷陰極管又はＬＥＤを用いた光源と、均一な面発光を行うための光拡散装置と、電源とからなる、表面が発光するテーブルであり、このライトテーブルの上にスライドフィルムを配置することで、スライドフィルムの画像を確認するものである。
ライトテーブルの光源として、エレクトロルミネッセンス（ＥＬ）素子を用いてもよい。
図１０（１）に、ＥＬ素子を用いたライトテーブル４３の構造を示し、図１０（２）に駆動回路を示す。
ＥＬ素子１０１は、発振回路ブロック１０２により、電圧が約１００Ｖ、周波数約１００Ｈｚで駆動され面全体が均一に発光する。
ライトテーブル４３には出力電圧が９Ｖの電池１０５が内臓されており、この電池の直流出力は、発振回路ブロック１０２内の発振回路１０４で１００Ｈｚの交流に変換された後、トランス１０３にて１００Ｖに昇圧され、ＥＬ素子部１０１に入力される。
尚、１０６はライトテーブルの発光をオン又は、オフとするためのスイッチである。
光源としてＥＬ素子を用いることで、極めて薄型のライトテーブルを構成することが可能となる。【００２６】これらのオプション機器は、図６に示すように、全て本体ケース内に収納することができる。ここで、４１は録音ユニットであり、マイクロフォン４０を含む図示しない録音手段と、メモリーカードに、このマイクロフォンで取り込んだ音声データを記録する書込み装置４２からなり、４３は小型ライトテーブルであり、光拡散板４４と図示しないＬＥＤ光源、及びバッテリからなる。【００２７】第４の実施例を図７、図８及び図９を用いて説明する。
図７（１）、は、スライド投影ユニットを配置していない本体ケース６の構造を示している。
本体ケース６には、スライド投影ユニットを配置する台７１が設けられており、この台７１が屈伸することでスライド投影ユニットは持ち上がる。
尚、７２は、スライド投影ユニットと結合するプレートである。
図７（２）、（３）は、スライド投影ユニットの収納時と使用時の台の配置を示ている。
図７（３）の状態で、スライド投影ユニットを図中左方向にスライド移動させて、スクリーンから遠ざける方向に移動させると、投影画像がより拡大されて投影される。
尚、スライド投影ユニットは台７１に着脱可能に配置されているため、台７１から取外して、壁面や天井に投影することができる。
この、台７１に配置されるスライド投影ユニットの底面の構造を図９（１）に示す。
尚、図９（２）は、スライド投影ユニット１を台７１に配置した場合の断面を示している。
このスライド投影ユニット１の底面は、点線で示した矩形状の開口９１をスリット９２が設けられた面で覆った構造をしており、このスリット９２の大口径部分９３を介して、台７１に設けられたプレート７２を、開口９１に挿入する。
そしてスライド投影ユニット１を図中右方向にスライドさせると、台７１とスライド投影ユニット１は係合される。
通常は、スライド投影ユニット１の底面開口左端に台のプレート７２が接した状態でスライドの画像を投影する。
スライド投影ユニット１を台７１から取外したい場合は、スライド投影ユニット１を左隅までスライド移動させる。【００２８】図８（１）、（２）はスライド投影ユニット１の構造を示している。
この実施例では、投影レンズユニット４の底面には磁石８１が設けられており、スライド投影ユニット１の母体にレール状に設けられた金属片８２に着脱可能、かつスライド移動可能に配置されており、ピント合わせを行う場合このレール状の金属片８２に沿って、投影レンズユニット４を移動させる。
また、光源ユニット２の底面にも磁石８３が設けられており、スライド投影ユニット１の母体にレール状に設けられた金属片８４に着脱可能、かつスライド移動可能に配置されている。
この光源ユニット２には電池が収容されており、例えば緊急用の懐中電灯としても用いることが可能である。
また、冷蔵庫の表面に磁石により貼り付けて使用ことができる。
投影レンズユニット４は、スライド９を直接拡大して覗くルーペとして用いることもできる。上記ライトテーブルにスライドフィルムを配置し、その上にこのレンズユニットを配置するとフィルムを拡大して見ることができる。
更に、シートレンズ８５が光源ユニット２とスライド配置部３の間８６に、着脱可能に配置されている。
シートレンズ８５を配置した場合は、投影画像の中央に集中した光は周囲に分散され、スライド９の全面が投影される。
このシートレンズ８５を取り除いた場合は、光が中央に集中し、投影画像は中央部のみ明るく円形状に投影される。
尚、８７は光源ユニット２に設けられた、ＬＥＤを発光させるためのスイッチであり、８８はＬＥＤから放出される光を集光するレンズである。
本実施例の場合は、スライド配置ユニットにはスイッチが設けられておらず、光源ユニット２にのみスイッチ８７が設けられている。
また、本実施例の光源ユニット２は、１つのＬＥＤだけで構成されている。【００２９】これらの実施例装置を使用しないときは、全てのユニット、オプション機器をケース内に収容した上で、蓋を閉じることでコンパクトにまとめられる。【００３０】更に、フィルム番号データをパーソナルコンピュータに伝達する接続端子を設けてもよい。
この構成によって、スライドの出し入れの検出、スライド番号認識、更にスライドの出し入れの時間計測をパーソナルコンピュータで行い、本実施例の装置とパーソナルコンピュータによりスライドを用いた学習システムやゲームを構築してもよい。
【産業上の利用可能性】
【００３１】本発明は、子供用のスライド投影おもちゃや簡易スライドプロジェクタとして、床や机上で利用することができる。
【図面の簡単な説明】
【００３２】
【図１】  本発明の実施例の形態に係る主要な構成を示す構造図である。
【図２】  第１の実施例のスライド投影ユニットを示す断面図である。
【図３】  第１の実施例のスライド投影ユニットの斜視図である。
【図４】  第２の実施例のスライド投影ユニットの構成図である。
【図５】  第３の実施例を示すブロック図である。
【図６】  第３の実施例の配置を示す構造図である。
【図７】  第４の実施例のケース本体を示す構造図である。
【図８】  第４の実施例のスライド投影ユニットを示す構造図である。
【図９】  第４の実施例のスライド投影ユニットの底面を示す構造図である。
【図１０】  ライトテーブルを示す構造図、及び回路ブロック図である。
【符号の説明】
【００３３】１：スライド投影ユニット
２：光源ユニット
３：フィルム配置ユニット
４：投影レンズユニット
６：本体ケース
７：スクリーン
【図１】
2005284226.tif 000003
【図２】
2005284226.tif 000004
【図３】
2005284226.tif 000005
【図４】
2005284226.tif 000006
【図５】
2005284226.tif 000007
【図６】
2005284226.tif 000008
【図７】
2005284226.tif 000009
【図８】
2005284226.tif 000010
【図９】
2005284226.tif 000011
【図１０】
2005284226.tif 000012